(57)【特許請求の範囲】
【請求項１】
振動素子を有している発振手段と、
周波数を電圧に変換するＦ／Ｖ変換手段と、
前記発振手段から出力された周波数信号が入力され、前記周波数信号の周波数を分周した分周信号を出力する分周手段と、
前記周波数信号の周波数を補正するための周波数補正情報を記憶する記憶手段と、
前記周波数信号または前記分周信号のいずれか一方を、前記Ｆ／Ｖ変換手段へ入力する切替手段と、を備えたことを特徴とする発振回路。
【請求項２】
前記分周手段の分周比を設定する分周比設定手段を備えたことを特徴とする請求項１に記載の発振回路。
【請求項３】
前記Ｆ／Ｖ変換手段から出力された信号が入力されるアナログ／デジタル変換手段を備えたこと特徴とする請求項１または２に記載の発振回路。
【請求項４】
前記周波数補正情報は、前記周波数信号の周波数の周波数温度特性を補償するための温度補償情報であることを特徴とする請求項１乃至３のいずれか一項に記載の発振回路。
【請求項５】
振動素子を有している発振手段、
周波数を電圧に変換するＦ／Ｖ変換手段、
前記発振手段から出力された周波数信号が入力され、前記周波数信号の周波数を分周した分周信号を出力する分周手段、
前記周波数信号の周波数を補正するための周波数補正情報を記憶する記憶手段、
前記周波数信号または前記分周信号のいずれか一方を、前記Ｆ／Ｖ変換手段へ入力する切替手段、および、
前記Ｆ／Ｖ変換手段から出力された信号と、前記記憶手段から出力された信号とに基づき、前記周波数信号の周波数を補正する周波数補正回路、
を備えたことを特徴とする周波数補正型発振回路。
【請求項６】
前記分周手段の分周比を設定する分周比設定手段を備えたことを特徴とする請求項５に記載の周波数補正型発振回路。
【請求項７】
前記Ｆ／Ｖ変換手段から出力された信号が入力されるアナログ／デジタル変換手段を備えたこと特徴とする請求項５または６に記載の周波数補正型発振回路。
【請求項８】
前記周波数補正情報は、前記周波数信号の周波数の周波数温度特性を補償するための温度補償情報であることを特徴とする請求項５乃至７のいずれか一項に記載の周波数補正型発振回路。
【発明の詳細な説明】
【技術分野】
【０００１】
本発明は、発振回路、及び周波数補正型発振回路に関し、さらに詳しくは、温度変化に
対してヒステリシス特性を持つ温度特性による精度誤差を改善するための回路構成に関す
るものである。
【背景技術】
【０００２】
水晶振動子を用いた圧電発振器の周波数は、ＡＴ振動子であれば３次カーブの温度特性
を持つが、これを例えば、携帯端末用ＧＰＳシステム等のシステム側で補正し、使用する
方法がある。例えば、特許文献１には、圧電発振器を構成するＩＣ内に備えたメモリーに
、圧電発振器の周波数温度特性に関する情報を記憶させ、且つ温度情報を出力する機能を
有する圧電発振器について開示されている。また、特許文献２には、システム側で温度情
報を基に周波数を補正する内容が開示されている。
この様な温度センサー出力付き水晶発振器（ＴＳＸＯ：Temperature Sensing Xtal Osc
illator）は、ある環境温度において、温度検出データおよび発振周波数を出力する機能
があり、内部メモリーに任意の温度における温度検出データ（例えば温度センサー電圧、
温度係数）、および発振周波数を格納する機能も兼ね備えている。この内部メモリーに保
存しているデータは、製造検査工程時に温度を変化させながら複数の温度点で測定した周
波数や温度情報に関するデータである。また、厚みすべり振動を利用したＡＴカット水晶
振動子を使用する場合、発振器の周波数は温度に対して正の３次曲線を描く。
上記システム側（例えば携帯端末用ＧＰＳシステム）は、この情報を元に、メモリー内
の情報を用いて温度（温度センサー電圧）と発振周波数の関係を導き出し、通常動作にお
いては、温度出力情報と発振器の出力周波数を検出し、その温度における基準周波数（例
えば２５℃の周波数）に対する周波数偏差を予測し、周波数の補正量を決定する。このよ
うにして、どの温度においても周波数が一定となるように周波数補正をかけたり、又はソ
フト的に補正している。
【先行技術文献】
【特許文献】
【０００３】
【特許文献１】特開２００３−３２４３１８公報
【特許文献２】米国特許出願公開第２００６／００７１７２８号明細書
【発明の概要】
【発明が解決しようとする課題】
【０００４】
ここで特許文献１に開示されている様に、発振回路、温度センサー、メモリー等で構成
されるＩＣと、水晶振動子とを接続してなる圧電発振器においては、本来温度（温度セン
サー電圧）に対し、圧電発振器の周波数は１対１という前提でなされているものである。
一例であるが図６は温度センサー電圧の温度特性であり、温度変化に対して温度センサー
電圧が略直線的に変化する特性を有する。この温度は温度センサーを備えている半導体の
温度であり、厳密には水晶振動子の温度との差が生じ、それは発振器の構造によっても影
響される。また、図７に理想的な圧電発振器の周波数温度特性を示すが、実際には昇温時
の特性と降温時の特性が微妙に異なる特性を示す場合がある（これをヒステリシス特性と
呼ぶ）。
即ち、水晶振動子の温度特性には、図８に示すように、昇温時の特性５３と降温時の特
性５４で特性が異なるヒステリシス特性を持つものがあり、この場合、温度に対し２つの
周波数を持つことになり、これが精度誤差として現れてしまう。言い換えれば、温度セン
サー電圧と圧電発振器の周波数が完全な１対１の関係にない状態と言える。
従って、携帯端末用ＧＰＳシステムなど精度が要求されるものには、このヒステリシス
特性の改善が求められるが、これは水晶振動子の構造や、水晶振動子のパッケージへの実
装方法などの検討が必要となり、且つ、その安定した生産性も求められるため、簡単に対
応できるものではなかった。
本発明は、かかる課題に鑑みてなされたものであり、温度センサー電圧の代わりに、発
振周波数に対応した電圧を発生するＦ／Ｖ変換器を介して周波数偏差に追随した電圧を出
力する。この電圧は発振周波数の変化に対して１対１の関係であり、これにより温度セン
サー電圧の取得を不要とし、発振周波数の変化を電圧情報として得ることが可能となる。
この出力電圧をシステム側に入力することにより、発振周波数の偏差を精度よく補正する
ことを実現した発振器を提供することを目的とする。
【課題を解決するための手段】
【０００５】
本発明は、上述の課題の少なくとも一部を解決するためになされたものであり、以下の形
態又は適用例として実現することが可能である。
【０００６】
［適用例１］振動素子を有している発振手段と、前記発振手段から出力された周波数信号が入力され、前記周波数信号の周波数を電圧に変換するＦ／Ｖ変換手段と、前記周波数を補正するための周波数補正情報を記憶する記憶手段と、を備えたことを特徴とする。
【０００７】
従来の温度センサーにより周波数を補正する場合、温度センサー電圧と圧電発振器の周
波数が１対１の関係にない状態であった。そのため、温度センサー電圧と周波数を対応付
けるための演算が必要であった。また、振動素子の温度特性には、昇温時と降温時で温度
特性が異なる所謂、ヒステリシス特性を持つものがあり、周波数もそれに基づいて変化す
るため、昇温時と降温時で誤差が生じる可能性があった。そこで本発明では、温度センサ
ーの代わりに、周波数に対応した電圧に変換するＦ／Ｖ変換手段を備え、その出力電圧を
周波数偏差電圧とする。これにより、周波数偏差電圧と圧電発振器の周波数を１対１に対
応付けることができる。
【０００８】
［適用例２］前記周波数を分周した分周信号を出力する分周手段を備え、前記周波数信号または前記分周信号のいずれか一方を、前記Ｆ／Ｖ変換手段へ入力する切替手段を備えたことを特徴とする。
【０００９】
発振周波数の周波数範囲を広く設定できる発振回路の場合、発振周波数によっては周波数を分周する場合と分周しない場合の２通りがある。この場合、回路的には分周手段を備えておき、分周手段を使用するか否かを任意に切り替える構成が必要である。そこで本発明では、Ｆ／Ｖ変換手段の入力に発振信号又は分周手段により分周した信号の何れか一方を供給する切替手段を備える。これにより、簡単な操作で広い発振周波数に対応した発振回路を提供することができる。
【００１０】
［適用例３］前記分周手段の分周比を設定する分周比設定手段を備えたことを特徴とする。
【００１１】
Ｆ／Ｖ変換手段は、変換可能な上限周波数が規定されている。従って、発振周波数によ
り分周手段の分周比をいくつに設定するかを決める必要がある。そこで本発明では、分周
手段の分周比を所定値に設定する分周比設定手段を備える。これにより、発振周波数によ
り最適な分周比を任意に設定することができる。
【００１２】
［適用例４］前記Ｆ／Ｖ変換手段から出力された信号が入力されるアナログ／デジタル変換手段を備えたこと特徴とする。
【００１３】
Ｆ／Ｖ変換器の出力信号は、例えば携帯電話用ＧＰＳシステムに周波数偏差情報として送られて発振周波数の補正データとして使用されるが、Ｆ／Ｖ変換器の出力はアナログ信号であるため、システム側でデジタル信号に変換する必要がある。そこで、本発明では、Ｆ／Ｖ変換器の出力をＡ／Ｄ変換するＡ／Ｄ変換手段を備える。これにより、システム側でＡ／Ｄ変換する必要がなくなり、システム側の負荷を軽減することができる。
【００１４】
［適用例５］前記周波数補正情報は、前記周波数の周波数温度特性を補償するための温度補償情報であることを特徴とする。
【００１５】
記憶手段には、ヒステリシス特性の影響を受けて現れた発振信号の２つの周波数温度特性に囲まれた領域にある周波数温度特性を示す周波数温度情報が記憶されている。従って、周波数補正型発振回路が受信したＦ／Ｖ変換手段の出力電圧から一義的に周波数を記憶手段から読み出し、そのデータに基づいて周波数を補正する。これにより、Ｆ／Ｖ変換手段の出力電圧（温度センサー出力）に対して補正する発振周波数がダイレクトに決まるので、補償を精度よく容易に行うことができる。
【００１６】
［適用例６］振動素子を有している発振手段、前記発振手段から出力された周波数信号が入力され、前記周波数信号の周波数を電圧に変換するＦ／Ｖ変換手段、前記周波数を補正するための周波数補正情報を記憶する記憶手段、および前記Ｆ／Ｖ変換手段から出力された信号と、前記記憶手段から出力された信号とに基づき、前記周波数を補正する周波数補正回路、を備えたことを特徴とする。
【００１７】
従来の温度センサーにより周波数を補正する場合、温度センサー電圧と圧電発振器の周波数が１対１の関係にない状態であった。そのため、温度センサー電圧と周波数を対応付けるための演算が必要であった。また、振動素子の温度特性には、昇温時と降温時で温度特性が異なる所謂、ヒステリシス特性を持つものがあり、周波数もそれに基づいて変化するため、昇温時と降温時で誤差が生じる可能性があった。そこで本発明では、温度センサーの代わりに、周波数に対応する電圧を発生するＦ／Ｖ変換手段を備え、その出力電圧を周波数偏差電圧として出力して、その電圧と周波数補正情報に基づいて発振信号の周波数を補正する。これにより、周波数偏差電圧と圧電発振器の周波数を１対１に対応付けて発振信号の周波数を補正することができる。
【００１８】
［適用例７］前記周波数を分周した分周信号を出力する分周手段を備え、前記周波数信号または前記分周信号のいずれか一方を、前記Ｆ／Ｖ変換手段へ入力する切替手段を備えたことを特徴とする。
【００１９】
適用例２と同様の作用効果を奏する。
【００２０】
［適用例８］前記分周手段の分周比を設定する分周比設定手段を備えたことを特徴とする。
【００２１】
適用例３と同様の作用効果を奏する。
【００２２】
［適用例９］前記Ｆ／Ｖ変換手段から出力された信号が入力されるアナログ／デジタル変換手段を備えたこと特徴とする。
適用例４と同様の作用効果を奏する。
【００２３】
［適用例１０］前記周波数補正情報は、前記周波数の周波数温度特性を補償するための温度補償情報であることを特徴とする。
記憶手段には、ヒステリシス特性の影響を受けて現れた発振信号の２つの周波数温度特性に囲まれた領域にある周波数温度特性を示す周波数温度情報が記憶されている。従って、周波数補正型発振回路が受信したＦ／Ｖ変換手段の出力電圧から一義的に周波数を記憶手段から読み出し、そのデータに基づいて周波数を補正する。これにより、Ｆ／Ｖ変換手段の出力電圧（温度センサー出力）に対して補正する発振周波数がダイレクトに決まるので、補償を精度よく容易に行うことができる。
【図面の簡単な説明】
【００２４】
【図１】本発明の第１の実施形態に係る発振回路の構成を示す図である。
【図２】（ａ）は発振周波数と温度の関係を示す図、（ｂ）は周波数偏差電圧と温度の関係を示す図、（ｃ）は周波数と周波数偏差電圧との関係を示す図である。
【図３】本発明の第２の実施形態に係る発振回路の構成を示す図である。
【図４】本発明の第３の実施形態に係る発振回路の構成を示す図である。
【図５】本発明の周波数補正型発振回路の一例を示す図である。
【図６】従来の圧電発振器のセンサー電圧と温度との関係を示す図である。
【図７】理想的な圧電発振器の周波数と温度との関係を示す図である。
【図８】従来のヒステリシス特性を有する圧電発振器の周波数と温度との関係を示す図である。
【図９】従来の圧電発振器の構成を示す図である。
【図１０】（ａ）は従来の圧電発振器の周波数と温度の関係を示す図、（ｂ）は温度センサー出力と温度の関係を示す図、（ｃ）はヒステリシス特性を有する従来の圧電発振器の周波数と温度の関係を示す図、（ｄ）は温度センサー出力と温度の関係を示す図である。
【発明を実施するための形態】
【００２５】
以下、本発明を図に示した実施形態を用いて詳細に説明する。但し、この実施形態に記
載される構成要素、種類、組み合わせ、形状、その相対配置などは特定的な記載がない限
り、この発明の範囲をそれのみに限定する主旨ではなく単なる説明例に過ぎない。
【００２６】
図１は本発明の第１の実施形態に係る発振回路の構成を示す図である。この発振回路３
０は、水晶振動子（振動素子）１を含み発振信号２ａを出力する発振器（発振手段）２と
、発振信号２ａの周波数に対応した電圧に変換するＦ／Ｖ変換器（Ｆ／Ｖ変換手段）４と
、発振信号２ａの周波数を補正するための周波数補正情報を記憶するメモリー（記憶手段
）６と、をＩＣパッケージ１５に一体化したものである。そして、ＩＣパッケージ１５に
は、発振出力端子８、周波数偏差電圧出力端子（Ｆ／Ｖ変換器出力端子）１２、メモリー
出力端子９、１１及び水晶振動子端子を備える。
即ち、図９に示す従来の発振器４０では、温度情報を得るための温度センサー４３を設
けていたが、本実施形態では、温度センサー４３の代わりに、発振信号２ａをＦ／Ｖ変換
してダイレクトに周波数偏差を電圧換算して出力して利用するというものである。発振器
２の周波数温度特性は、水晶振動子のもつ温度特性が発振周波数として表れるため、温度
に対して周波数が変化する。従来はこの発振周波数の温度変化を、温度情報から予測しよ
うとしたもので、その温度情報を別に設けた温度センサーの電圧から得ていた。このため
温度、電圧、周波数という３つの異なるパラメーターが必要であった。
図９に示す従来の発振器４０では、発振器４２と温度センサー４３は別回路で構成され
ていたため、構造に起因する熱伝導や、水晶振動子４１のヒステリシスの問題により、発
振周波数と温度センサー４３の特性が１対１の関係に完全にはならなかった。
【００２７】
しかし、本実施形態では、温度センサー４３を不要とし、温度と言うパラメーターを除
外することができる。従来３つのパラメーターが必要であったのに対し、本形態では電圧
と周波数の２つのパラメーターのみとなる。図１に示すように水晶振動子１の周波数を、
Ｆ／Ｖ変換することで周波数偏差を電圧として得ることができる。Ｆ／Ｖ変換された周波
数偏差電圧と発振周波数には相関関係がある。図２に示すように発振器３０の温度特性（
図２（ａ））と同様に、温度に対して３次の温特を持つ（図２（ｂ））。しかし、周波数
偏差電圧と発振周波数Δｆ／ｆは１対１の関係であるため、周波数偏差電圧に対して、補
正する発振周波数がダイレクトに決まり、補償を精度良く容易に行う事ができる。
【００２８】
次に、温度センサー電圧と発振周波数の関係を比較してみると、従来は図１０に示すよ
うに、昇温時は図１０（ａ）に示すように３次の温度特性５３を示し、各点Ａ、Ｂ、Ｃに
対応するセンサー電圧Ｖｆが図１０（ｂ）のａ、ｂ、ｃとなり、降温時は図１０（ｃ）に
示すように３次の温度特性５４を示し、各点Ａ’、Ｂ’、Ｃ’に対応するセンサー電圧Ｖ
ｆが図１０（ｄ）のａ’、ｂ’、ｃ’となる。従来の場合、異なる温度Ａ、Ｂ、Ｃ点にお
いて発振周波数は同一である。それに対し温度センサー電圧は全て異なる関係にあること
がわかる。この関係を結びつけるために、双方に共通する温度というパラメーター（条件
）を用いて、温度との関係式を算出し、お互いの関係を結びつける必要があった。即ち、
Ｖｆの測定→温度を計算（予測）→発振周波数を予測→システムで補正という関係であっ
た。
それに対し図２は、温度をパラメーターにする必要がなく、図２（ｃ）に示すとおり、
周波数偏差電圧Ｖｆに対し発振周波数Δｆ／ｆが１対１でリニアな関係が得られるため、
温度の概念をなくすことができる。即ち、周波数偏差電圧Ｖｆの測定→発振周波数を予測
→システムで補正となる。これによって、補正精度の向上や補正システムの簡素化を図る
事が可能となる。
これはメモリーに格納する情報量を減らす効果につながり、メモリーを小型化にでき、
それによりＩＣチップの小型化を図ることもできる。
【００２９】
以上の通り、従来の温度センサーにより周波数を補正する場合、温度センサー電圧Ｖｆ
と圧電発振器の周波数Δｆ／ｆが理想的な１対１の関係にない状態であった。そのため、
温度センサー電圧Ｖｆと周波数Δｆ／ｆを対応付けるための演算が必要であった。また、
水晶振動子１の温度特性には、昇温時と降温時で温度特性が異なる所謂、ヒステリシス特
性を持つものがあり、温度特性もそれに基づいて変化するため、昇温時と降温時で誤差が
生じる可能性があった。そこで本発明では、温度センサー４３の代わりに、周波数に対応
する電圧を発生するＦ／Ｖ変換器４を備え、その出力電圧を周波数偏差電圧Ｖｆとする。
これにより、周波数偏差電圧Ｖｆと圧電発振器の周波数Δｆ／ｆを１対１に対応付けるこ
とができる。
【００３０】
図３は本発明の第２の実施形態に係る発振回路の構成を示す図である。この発振回路３
１は、図１の構成に加えて、発振信号２ａの周波数を分周する分周器（分周手段）１６を
備え、分周器１６により分周した信号をＦ／Ｖ変換器４へ出力するように構成した。また
、Ｆ／Ｖ変換器４の入力に発振信号２ａ又は分周器１６により分周した信号の何れか一方
を供給するスイッチ（切替手段）１７を備えた。また、図示は省略するが、分周器１６の
分周比を所定値に設定する分周比設定手段を備えた。
即ち、発振信号２ａの周波数が高い場合、その周波数に追従できるＦ／Ｖ変換器を選択
する必要がある。しかし、使用周波数が高いＦ／Ｖ変換器は、必然的に部品コストが高く
なり、また、周波数が高くなると消費電力も増大する。そこで本実施形態では、発振信号
２ａの周波数を分周する分周器１６を備え、分周器１６により分周した信号をＦ／Ｖ変換
器４により変換する。これにより、発振周波数が高い場合でも、安価なＦ／Ｖ変換器４を
使用することができ、且つ発振回路の消費電力を低減することができる。
【００３１】
また、発振周波数の可変範囲を大きく設定できる発振回路の場合、発振周波数によって
は周波数を分周する場合と分周しない場合の２通りがある。この場合、回路的には分周器
１６を備えておき、分周器１６を使用するか否かを切り替える構成が必要である。そこで
本実施形態では、Ｆ／Ｖ変換器４の入力に発振信号２ａ又は分周器１６により分周した信
号の何れか一方を供給するスイッチ１７を備える。これにより、簡単な操作で広い発振周
波数に対応した発振回路を提供することができる。
また、Ｆ／Ｖ変換器４は、変換可能な上限周波数が規定されている。従って、発振周波
数により分周器１６の分周比をいくつに設定するかを決める必要がある。そこで本実施形
態では、分周器１６の分周比を所定値に設定する分周比設定手段（図示せず）を備える。
これにより、発振周波数により最適な分周比を任意に設定することができる。
【００３２】
図４は本発明の第３の実施形態に係る発振回路の構成を示す図である。この発振回路３
２は、図３のＦ／Ｖ変換器４の出力信号をデジタル信号に変換するＡ／Ｄ変換器１８を備
えたものである。図４の例では、Ｆ／Ｖ変換器４の出力信号を端子１２に出力し、Ａ／Ｄ
変換器１８の出力を端子１９に出力する構成にしたが、端子１９だけでも構わない。また
、図１の実施形態についても同様に、Ｆ／Ｖ変換器４の出力信号をデジタル信号に変換す
るＡ／Ｄ変換器１８を備えても構わない。これによりシステム側が周波数偏差電圧Ｖｆを
Ａ／Ｄ変換する必要がなくなり、システム側の負荷を軽減することができる。
【００３３】
図５は本発明の周波数補正型発振回路の構成を示す図である。本実施形態に係る周波数
補正型発振回路１００は、周波数温度特性にヒステリシス特性を有する圧電振動子１と、
圧電振動子１を発振させて発振信号３３を出力する発振回路２と、記億回路６と、を有し
、記憶回路６には、ヒステリシス特性の影響を受けて表れた発振信号の２つの周波数温度
特性に囲まれた領域にある周波数温度特性を示す周波数温度情報１３が記億されたもので
ある。ここで、２つの周波数温度特性とは、圧電振動子１の温度上昇時の周波数温度特性
と温度下降時の周波数温度特性とを言い、基準温度を中心として２つの特性曲線に囲まれ
た領域が現れる。また周波数補正型発振回路１００は動作時には温度補償回路２０に接続
される。
よって、本実施形態にかかる周波数補正型発振回路１００をより詳細に説明すると、周
波数温度特性にヒステリシス特性を有する圧電振動子１と、圧電振動子１を発振させて発
振信号３３を出力し、圧電振動子１の発振周波数の温度特性を示す周波数温度情報３４と
、発振信号３３の発振時の圧電振動子１の温度情報とを用いて温度補償量２６を算出可能
な温度補償回路２０に発振信号３３を出力する発振回路２と、圧電振動子１の周囲温度を
上昇させた場合に生成される圧電振動子１の昇温周波数温度情報５３と、周囲温度を下降
させた場合に生成される圧電振動子１の降温周波数温度清報５４と、の中間値を周波数温
度情報１３として記憶し温度補償回路２０に周波数温度情報１３を出カする記憶回路６と
、を有するものである。
【００３４】
さらに、周波数偏差を電圧に変換し検出電圧３６として出力するＦ／Ｖ変換器４が設け
られるとともに、周波数温度情報３４は、検出電圧３６の関数として表された昇温周波数
温度情報５３及び降温周波数温度清報５４に基づいて算出して記憶回路６に記憶され、発
振回路２は、周波数温度情報１３と検出電圧３６を用いて温度補償量２６を算出する温度
補償回路２０に発振信号３３を出力し、温度検出手段は、温度補償回路２０に検出電圧３
６を出力するものである。
即ち、従来の温度センサーにより周波数を補正する場合、温度センサー電圧と圧電発振
器の周波数が１対１の関係にない状態であった。そのため、温度センサー電圧と周波数を
対応付けるための演算が必要であった。また、振動素子の温度特性には、昇温時と降温時
で温度特性が異なる所謂、ヒステリシス特性を持つものがあり、温度センサー電圧もそれ
に基づいて変化するため、昇温時と降温時で誤差が生じる可能性があった。そこで本実施
形態では、温度センサーの代わりに、周波数に対応する電圧を発生するＦ／Ｖ変換器４を
備え、その出力電圧を温度センサー電圧３６として検出して、その電圧と周波数補正情報
３４に基づいて発振信号の周波数を補正する。これにより、温度センサー電圧と圧電発振
器の周波数を１対１に対応付けて発振信号の周波数を補正することができる。
【符号の説明】
【００３５】
１  水晶振動子（振動素子）、２  発振器、３  シリアルインターフェイス、４  Ｆ／Ｖ
変換器、５  バッファ、６  メモリー、７  Ｖｄｄ端子、８  発振出力端子、９  端子、
１０  端子、１１  メモリー出力端子、１２  周波数偏差電圧出力端子、１３  周波数温
度情報、１４  ＧＮＤ端子、１５  ＩＣパッケージ、３０〜３２  発振回路、１００  周
波数補正型発振回路
【図１】
0005533030.tif 000002
【図２】
0005533030.tif 000003
【図３】
0005533030.tif 000004
【図４】
0005533030.tif 000005
【図５】
0005533030.tif 000006
【図６】
0005533030.tif 000007
【図７】
0005533030.tif 000008
【図８】
0005533030.tif 000009
【図９】
0005533030.tif 000010
【図１０】
0005533030.tif 000011